(57)【特許請求の範囲】
【請求項１】
雨傘が挿入される開口部を備えた水滴除去槽と、この水滴除去槽に連通管を介して連通された気水分離槽と、この気水分離槽に連設されて、その内部を所定圧力に減圧保持する吸気手段と、前記連通管に設けられてその連通および遮断をなす開閉弁とを備え、
前記吸気手段が、前記気水分離槽に通気管を介して連通されたアキュムレーターを備え、その通気管の途中に切替弁が設けられ、この切替弁が、前記気水分離槽を前記アキュムレーターへ連通させる位置と、前記気水分離槽を前記吸気手段の排気側へ連通させる位置とに切り替えるようになされ、かつ、前記アキュムレーターと前記吸気手段の吸気側との間には、これらを連通する位置と、前記吸気側と外気とを連通させる位置とに切り替える切替弁が設けられていることを特徴とする雨傘の水滴除去装置。
【請求項２】
前記水滴除去槽には、前記開口部に連続し、前記雨傘が挿入されるとともに、多数の貫通孔が形成された雨傘保持筒が設けられていることを特徴とする請求項１に記載の雨傘の水滴除去装置。
【請求項３】
前記水滴除去槽には、前記雨傘が挿入されたことを検知する雨傘センサーが設けられていることを特徴とする請求項１に記載の雨傘の水滴除去装置。
【請求項４】
前記気水分離槽には、その内部圧力を検出する圧力センサーが設けられていることを特徴とする請求項１ないし請求項３の何れかに記載の雨傘の水滴除去装置。
【請求項５】
前記気水分離槽には、内部の水位を検出する水位センサーが設けられていることを特徴とする請求項１ないし請求項４の何れかに記載の雨傘の水滴除去装置。
【請求項６】
前記気水分離槽にはドレン管が設けられているとともに、このドレン管に開閉弁が設けられていることを特徴とする請求項１ないし請求項５の何れかに記載の雨傘の水滴除去装置。
【発明の詳細な説明】
【技術分野】
【０００１】
本発明は、雨傘に付着した水滴を、外部に飛散させることなく除去するようにした雨傘の水滴除去装置に関するものである。
【背景技術】
【０００２】
一般に、雨天時に、使用した濡れた雨傘を屋内に持ち込むと、前記雨傘に付着した水滴が落下して屋内の床等を濡らしてしまう。
【０００３】
このような不具合に対処するための一方法として、建物の出入り口にビニール袋を設置しておき、建物に入る際に、前記雨傘を前記ビニール袋に入れることにより、前記雨傘に付着した水滴を前記ビニール袋で受け止めて、水滴が床等へ落下することを防止することが行なわれている。
【０００４】
しかしながら、このような対処方法にあっては、建物の入り口での、雨傘をビニール袋に入れる操作が面倒であり、また、誤って、雨傘の先端でビニール袋を突き破ってしまうことにより、このビニール袋に受け止められていた水滴が一気に落下して床等を汚してしまうことがある。
【０００５】
そこで、従来では、たとえば、特許文献１に示されるように、雨傘が挿入される水滴除去槽に、この水滴除去槽内の空気を吸引する吸気装置を連設し、この吸気装置と前記水滴除去槽との連通をなす連通管の途中に気水分離槽を設けた雨傘の水滴除去装置が提案されている。
【先行技術文献】
【特許文献】
【０００６】
【特許文献１】特開平８−３０８６２２号公報
【発明の概要】
【発明が解決しようとする課題】
【０００７】
ところで、前述した従来の技術にあっては、水滴を除去する際に、前記水滴除去槽内の空気を、前記吸気装置によって常時吸引することによって、前記水滴を前記空気とともに吸引し、この水滴を、前記気水分離槽においてその自重によって前記空気から分離させて捕獲するようにしている。
【０００８】
ここで、前記雨傘から水滴を効率よく除去するためには、前記吸気装置による吸気速度を高める必要がある。
【０００９】
しかしながら、前述したように吸気速度を高めると、空気とともに流れる除去された水滴の移動速度も高まり、これによって、前記気水分離槽における水滴の自重落下が阻害され、この水滴の一部が空気とともに前記吸引装置へ流れ込んでしまうことが想定される。
【００１０】
このように、雨傘から剥離された水滴の一部が、空気とともに前記吸気装置へ流れ込んでしまうことにより、水滴の捕獲効率が低下するばかりでなく、捕獲できない水滴が、前記吸気装置を経て外部へ飛散させられてしまう。
【００１１】
前記吸気装置から外部へ飛散させられた水滴は、その周辺を汚すことになるために、その対策が必要である。
【００１２】
本発明は、前述した従来の問題点に鑑みてなされたもので、雨傘に付着した水滴を除去するとともに、除去した水滴を確実に捕獲することのできる雨傘の水滴除去装置を提供することを解決すべき課題とする。
【課題を解決するための手段】
【００１３】
本発明の雨傘の水滴除去装置は、雨傘が挿入される開口部を備えた水滴除去槽と、この水滴除去槽に連通管を介して連通された気水分離槽と、この気水分離槽に連設されて、その内部を所定圧力に減圧保持する吸気手段と、前記連通管に設けられてその連通および遮断をなす開閉弁とを備えていることを特徴とする。
【００１４】
このような構成とすることにより、前記開閉弁によって前記連通管を遮蔽して、前記水滴除去槽と前記気水分離槽との連通を遮断しておくとともに、前記吸気手段によって前記気水分離槽内を所定圧力に減圧しておき、前記水滴除去槽に雨傘を挿入した時点で前記開閉弁を開放することにより、前記水滴除去槽内の空気を前記気水分離槽内に吸引する。
【００１５】
これによって、前記水滴除去槽から前記気水分離槽へ向かう気流が生じ、この気流によって前記水滴除去槽において、前記雨傘に付着した水滴が剥離されて気液二相流体となり、この気液二相流体が前記気水分離槽へ吸い込まれる。
【００１６】
ここで、前記気液二相流体は、前記気水分離槽の負圧によってこの気水分離槽内に吸引されていることから、前記気液二相流体が前記気水分離槽内に止められる。
【００１７】
この状態において、前記気液二相流対中の水滴が、その自重によって落下させられることにより分離されて捕獲される。
したがって、前記水滴が前記気水分離槽から外部へ放出されることなく確実に捕獲される。
【００１８】
そして、前記水滴除去槽には、前記開口部に連続し、前記雨傘が挿入されるとともに、多数の貫通孔が形成された雨傘保持筒を設けることができる。
【００１９】
このような構成とすることにより、前記雨傘のばたつきを抑えて、その損傷を防止することができる。
また、前記多数の貫通孔によって、前記雨傘に当たる気流を整えて、水滴の剥離を円滑なものとすることができる。
【００２０】
前記水滴除去槽に、前記雨傘が挿入されたことを検知する雨傘センサーを設けておくことにより、この雨傘センサーの検出信号に基づいて前記開閉弁を開閉することにより、装置を効率よく作動させることができる。
【００２１】
前記吸気手段に、前記気水分離槽に通気管を介してアキュムレーターを連通させておくこともできる。
これによって、前記気水分離槽の容積を拡大して、気液二相流の吸引量を拡大することができる。
【００２２】
前記通気管の途中に切替弁を設け、この切替弁により、前記気水分離槽を前記アキュムレーターへ連通させる位置と、前記気水分離槽を前記吸気手段の排気側へ連通させる位置とに切り替えるようにし、また、前記アキュムレーターと前記吸気手段の吸気側との間に、これらを連通する位置と、前記吸気側と外気とを連通させる位置とに切り替える切替弁を設けるようにしてもよい。
【００２３】
このような構成とすることにより、前記気水分離槽と前記アキュムレーターとを独立した状態に保持し、このアキュムレーターの状態を保持した状態で、前記気水分離槽内部の圧力調整を行なうことができる。
【００２４】
たとえば、前記気水分離槽内に前記吸気手段の排気を送り込むことによって、この気水分離槽内を加圧することができる。
これによって、前記気水分離槽内に捕獲された水を強制排除することができる。
【００２５】
また、好ましくは、前記気水分離槽に、その内部圧力を検出する圧力センサーが設けられる。
この圧力センサーの検出信号に基づき前記吸引手段の作動を制御することにより、前記気水分離槽内の圧力を適切な範囲内に調整して、前記気水分離槽による気液二相流の吸引作用を安定したものとすることができる。
【００２６】
また、前記気水分離槽に、内部の水位を検出する水位センサーを設けることが好ましい。
これによって、前記気水分離槽内の水位を監視して、前記気水分離槽内における過剰な水位上昇を抑制することができる。
【００２７】
そして、前記気水分離槽にドレン管を設けて、内部に蓄積された水を排出することができる。
【発明の効果】
【００２８】
本発明の雨傘の水滴除去装置によれば、前記気水分離槽の負圧によって、前記水滴除去槽から、雨傘に付着した水滴を空気とともに前記気水分離槽内に吸引することにより、前記水滴と空気との気液二相流体を前記気水分離槽内に止め、これによって、前記気水分離槽内において前記水滴を分離することができ、この水滴の外部への放出を防止することができる。
【図面の簡単な説明】
【００２９】
【図１】本発明の一実施形態に係る雨傘の水滴除去装置を示す構成図である。
【図２】本発明の一実施形態に係る雨傘の水滴除去装置の制御フロー図である。
【発明を実施するための形態】
【００３０】
以下、本発明の一実施形態について、図面を参照して説明する。
図１において、符号Ｍは、本実施形態に係わる雨傘の水滴除去装置（以下、水滴除去装置と略称する）を示す。
【００３１】
本実施形態に係わる水滴除去装置Ｍは、雨傘１が挿入される開口部２ａを備えた水滴除去槽２と、この水滴除去槽２に連通管３を介して連通された気水分離槽４と、この気水分離槽４に連設されて、その内部を所定圧力に減圧保持する吸気手段５と、前記連通管３に設けられてその連通および遮断をなす開閉弁Ｖ１とを備えている
【００３２】
さらに詳述すれば、前記水滴除去槽２には、前記開口部２ａに連続し、前記雨傘１が挿入されるとともに、多数の貫通孔が形成された雨傘保持筒６が設けられている。
【００３３】
この雨傘保持筒６は、上方が大径となる略円錐状に形成されているとともに、前記水滴除去槽２内に、上下方向に摺動可能に配置されている。
また、前記雨傘保持筒６は、その下部に設けられた付勢部材７によって上方へ向けて付勢されており、挿入される前記雨傘１によって、前記付勢部材７の付勢力に抗して押し下げ可能となされている。
【００３４】
また、前記水滴除去槽２の側壁には、この水滴除去槽２の内外を連通する吸気管８が設けられているとともに、前記雨傘１が挿入されたことを検知する雨傘センサー９が設けられている。
【００３５】
この雨傘センサー９は、たとえば、投光器と受光器とからなる光センサーが用いられ、前記受光器における受光が遮断された際に、前記雨傘１が挿入されたことを検出するようになされている。
【００３６】
前記吸気手段５は、前記気水分離槽４に通気管１０を介して連通されたアキュムレーター１１と、このアキュムレーター１１に連設された排気ポンプ１２とを備えている。
【００３７】
前記通気管１０の途中には切替弁Ｖ２が設けられ、この切替弁Ｖ２が、前記気水分離槽４を前記アキュムレーター１１へ連通させる位置と、前記気水分離槽４を前記排気ポンプ１２の排気側へ連通させる位置とに切り替えるようになされ、かつ、前記アキュムレーター１１と前記排気ポンプ１２の吸気側との間には、これらを連通する位置と、前記吸気側と外気とを連通させる位置とに切り替える切替弁Ｖ３が設けられている。
【００３８】
前記気水分離槽４には、その内部圧力を検出する圧力センサー１３と、内部の水位を検出する水位センサー１４が設けられている。
【００３９】
前記水位センサー１４は、上限水位と下限水位とを検出する２つのセンサーによって構成されている。
【００４０】
さらに、前記気水分離槽４にはドレン管１５が設けられているとともに、このドレン管１５には開閉弁Ｖ４が設けられている。
【００４１】
前述した各センサーや各種弁、および、前記排気ポンプ１２は、コントロールユニットＵに電気的に接続されて、このコントロールユニットＵに検出信号を出力し、また、このコントロールユニットＵからの駆動信号に基づき作動させられるようになっている。
【００４２】
そして、前記コントロールユニットＵは、メインスイッチＳが操作されることによって、前述した制御を開始するようになされている。
【００４３】
このように構成された本実施形態の作用について、図２に示す制御フロー図に基づき説明する。
【００４４】
前記メインスイッチＳがＯＮとなされると（ステップＳ１）、開閉弁Ｖ１が閉状態であるか否かが判断され、閉状態であることを条件として（ステップＳ２、ステップＳ３）、つぎのステップＳ４以降へ移行する。
【００４５】
このステップＳ４とステップＳ５において、切替弁Ｖ３において、アキュムレーター１１と排気ポンプ１２とが連通され、かつ、この排気ポンプ１２の吸気側と外気が遮断された状態か否かの判断がなされ、アキュムレーター１１と排気ポンプ１２とが連通されていることを条件として、つぎのステップＳ６以降へ移行する。
【００４６】
つづくステップＳ６とステップＳ７において、切替弁Ｖ２において、アキュムレーター１１と気水分離槽４とが連通され、かつ、この気水分離槽４と排気ポンプ１２の排気側とが遮断された状態か否かの判断がなされ、アキュムレーター１１と気水分離槽４とが連通されていることを条件として、つぎのステップＳ８以降へ移行する。
【００４７】
ステップＳ８において、排気ポンプ１２の駆動が開始され、アキュムレーター１１の減圧が開始されて、同時に、気水分離槽４の減圧が開始されて、つぎのステップＳ９へ移行し、この気水分離槽４内の圧力が設定範囲内か否かが判断され、設定範囲に至った際に、つぎのステップＳ１０において排気ポンプ１２が停止させられて、つぎのステップＳ１１へ移行する。
【００４８】
ステップＳ１１においては、切替弁Ｖ３が作動させられて、アキュムレーター１１と排気ポンプ１２との連通が遮断されて、つぎのステップＳ１２へ移行する。
【００４９】
ステップＳ１２において、上限水位を検出する水位センサー１４からの検出信号に基づき、貯水量が上限に達しているか否かの判断がなされ、上限未満である場合に、つぎのステップＳ１３へ移行する。
【００５０】
ステップＳ１３において、雨傘センサー９からの信号に基づいて、雨傘１が挿入されたことが検知されると、ステップＳ１４へ移行して開閉弁Ｖ１を開放する。
【００５１】
このように、開閉弁Ｖ１が開放されると、気水分離槽４の負圧によって水滴除去槽２内の空気が吸引され、その内部に気流が発生させられるとともに、この気流が、雨傘保持筒６内を、その多数の貫通孔を経て通過させられることにより、雨傘１に付着した水滴が剥離される。
【００５２】
このように剥離された水滴は、前記気流とともに気液二相流体となって、前記連通管３を経て気水分離槽４内に吸引される。
【００５３】
この気水分離槽４内に吸引された気液二相流体は、この気水分離槽４とアキュムレーター１１との圧力がほぼ一定に保持されていることから、気水分離槽４内に止まる。
【００５４】
したがって、この気水分離槽４内において、前記水滴が、前記気液二相流体から自重によって分離して前記気水分離槽４の下部に溜まる。
したがって、前記水滴が気水分離槽４の外部に放出されることはない。
【００５５】
この動作は、ステップＳ１５において、雨傘センサー９による雨傘１の検出がなされている間継続して行なわれ、雨傘１が抜き取られた際に、ステップＳ１８へ移行して開閉弁Ｖ１が閉じられて処理が完了する。
【００５６】
一方、ステップＳ１２において気水分離槽４内の貯水量が上限水位にあると判断された場合には、ステップＳ１７へ移行して、切替弁Ｖ２を操作して気水分離槽４と排気ポンプ１２の排気側とを連通させるとともに、ステップＳ１８へ移行して、開閉弁Ｖ４を開放した後に、ステップＳ１９へ移行して、排気ポンプ１２を駆動する。
【００５７】
この操作によって、気水分離槽４内に貯留されている水が、ドレン管１５を介して外部へ排出される。
そして、この水の排出操作は、ステップＳ２０において下限水位に至った際に、排気ポンプ１２の停止（ステップＳ２１）、および、開閉弁Ｖ４の遮断（ステップＳ２２）の処理を経て終了する。
【００５８】
このように、本実施形態においては、捕獲した水を強制的に排除することができる。
この排水作業は、水滴除去装置Ｍを適切な場所に移動させて行なうことにより、建物を汚すことなく行なうことができる。
【００５９】
なお、前記実施形態において示した各構成部材の諸形状や寸法等は一例であって、設計要求等に基づき種々変更可能である。
【符号の説明】
【００６０】
１  雨傘
２  水滴除去槽
２ａ  開口部
３  連通管
４  気水分離槽
５  吸気手段
６  雨傘保持筒
７  付勢部材
８  吸気管
９  雨傘センサー
１０  通気管
１１  アキュムレーター
１２  排気ポンプ
１３  圧力センサー
１４  水位センサー
１５  ドレン管
Ｍ  （雨傘の）水滴除去装置
Ｓ  メインスイッチ
Ｕ  コントロールユニット
Ｖ１  開閉弁
Ｖ２  切替弁
Ｖ３  切替弁
Ｖ４  開閉弁
【要約】
【課題】雨傘に付着した水滴を除去するとともに、除去した水滴を確実に捕獲することのできる雨傘の水滴除去装置を提供することを解決すべき課題とする。
【解決手段】雨傘１が挿入される開口部２ａを備えた水滴除去槽２と、この水滴除去槽２に連通管３を介して連通された気水分離槽４と、この気水分離槽４に連設されて、その内部を所定圧力に減圧保持する吸気手段６と、前記連通管３に設けられてその連通および遮断をなす開閉弁Ｖ１とを備えていることを特徴とする雨傘の水滴除去装置。
【選択図】図１【図１】
0005828365.tif 000002
【図２】
0005828365.tif 000003